【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
印刷データ作成装置、注文者装置およびサーバ装置を含む印刷システムであって、
前記印刷データ作成装置は、
複数の画像または文字のオブジェクトを含む印刷データを作成する作成手段と、
前記複数の画像または文字のオブジェクトの中から少なくとも１つを選択する選択手段と、
前記選択手段により選択されたオブジェクトに対して再編集の可否を設定する設定手段と、
前記設定手段により設定された再編集の可否を示す再編集情報とともに前記印刷データを前記サーバ装置へアップロードするアップロード手段とを備え、
前記サーバ装置は、
前記再編集情報にしたがって再編集可能に設定されているオブジェクトと、該オブジェクトそれぞれについて編集可能な編集内容を取得する取得手段と、
前記取得手段により取得された前記編集内容の、予め決められた表示順に応じて、前記オブジェクトの順番を決定する決定手段と、
前記決定手段により前記決定された順番を示すアイコンとともに前記オブジェクトを表示し、前記オブジェクトの編集内容に変更を加えるための表示領域を前記表示順にしたがって表示した画面を生成する生成手段と、
前記生成手段により生成された画面に対して前記注文者装置から入力された編集結果を反映した印刷データを作成する作成手段と、
前記作成手段により作成された印刷データの印刷注文を前記注文者装置から受け付ける受付手段とを備えたことを特徴とする印刷システム。
【請求項２】
前記サーバ装置は、前記生成手段により生成された画面にしたがって前記注文者装置によって入力された編集結果が所定の条件を満たさない時、エラーを表示するエラー手段をさらに備えたことを特徴とする請求項１に記載の印刷システム。
【手続補正２】
【補正対象書類名】明細書
【補正対象項目名】発明の名称
【補正方法】変更
【補正の内容】
【発明の名称】印刷システム
【手続補正３】
【補正対象書類名】明細書
【補正対象項目名】０００９
【補正方法】変更
【補正の内容】
【０００９】
上記目的を達成するため、本発明の実施形態に係る、印刷データ作成装置、注文者装置およびサーバ装置を含む印刷システムにおいて、
前記印刷データ作成装置は、
複数の画像または文字のオブジェクトを含む印刷データを作成する作成手段と、
前記複数の画像または文字のオブジェクトの中から少なくとも１つを選択する選択手段と、
前記選択手段により選択されたオブジェクトに対して再編集の可否を設定する設定手段と、
前記設定手段により設定された再編集の可否を示す再編集情報とともに前記印刷データを前記サーバ装置へアップロードするアップロード手段とを備え、
前記サーバ装置は、
前記再編集情報にしたがって再編集可能に設定されているオブジェクトと、該オブジェクトそれぞれについて編集可能な編集内容を取得する取得手段と、
前記取得手段により取得された前記編集内容の、予め決められた表示順に応じて、前記オブジェクトの順番を決定する決定手段と、
前記決定手段により前記決定された順番を示すアイコンとともに前記オブジェクトを表示し、前記オブジェクトの編集内容に変更を加えるための表示領域を前記表示順にしたがって表示した画面を生成する生成手段と、
前記生成手段により生成された画面に対して前記注文者装置から入力された編集結果を反映した印刷データを作成する作成手段と、
前記作成手段により作成された印刷データの印刷注文を前記注文者装置から受け付ける受付手段とを備えたことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００２０
【補正方法】変更
【補正の内容】
【００２０】
まず図２を用いて情報システム全体の動作の流れについて説明する。図２の工程（１）に示すように、まず印刷データ作成者がクライアント側のパーソナルコンピュータ１２１（以下ＰＣ１２１とする）にインストールしたアプリケーションを使用して印刷データの作成を行う。次に、工程（２）に示すように、印刷データ作成者がＰＣ１２１を使用して、印刷データを構成するオブジェクトの一つを選択し、再編集を許可する許可オブジェクトを設定する。許可する編集の種類が存在する場合は、再編集内容の種類についても選択する。再編集の許可の設定をしたいオブジェクトが他にもある場合、同様にそれらのオブジェクトについて許可オブジェクトとして設定する。
【手続補正６】
【補正対象書類名】明細書
【補正対象項目名】００２１
【補正方法】変更
【補正の内容】
【００２１】
次に、工程（３）に示すように、印刷データ作成者がアプリケーションのアップロードボタンをクリックすると、再編集に関する情報とともに、編集後データである印刷データがサーバ１２２にアップロードされる。サーバ１２２は、工程（４）で示すように、アップロードされた印刷データをデータ保存装置１２４に保存する。データ保存装置１２４は、非常に大きな記憶容量を持つ記憶装置で、通常、サーバ１２２とは別体に構成される。
【手続補正７】
【補正対象書類名】明細書
【補正対象項目名】００４６
【補正方法】変更
【補正の内容】
【００４６】
Ｐ１０３０（又はＰ１１３０、Ｐ１２３０、Ｐ１３３０、Ｐ１３３０’、Ｐ１４３０、Ｐ１５３０、Ｐ１６３０、Ｐ１６３１）はプレビュー画像において編集可能なオブジェクトを示すための印となるアイコンである。これらは、編集可能なオブジェクトを見出しやすくするために印付加機能により、編集の対象となるオブジェクトの近傍に付加されるものである。Ｐ１０３０が示すオブジェクトの差し替えをＰ１０２０、Ｐ１０２１、Ｐ１０２２において指定可能である。
【手続補正８】
【補正対象書類名】明細書
【補正対象項目名】００６９
【補正方法】変更
【補正の内容】
【００６９】
次に、図２２の処理が開始され、先ず、ステップＳ２２０４乃至Ｓ２２０６において、それぞれ、「ｌｅｎ＝０」、「ｏｂｊＮｕｍ＝ｏｒｉＯｂｊＮｕｍ」、「ｅｄＮｕｍ＝ｏｒｉＥｄＮｕｍ」のように初期化する。次にステップＳ２２０７に進み、「ｏｂｊＡｒｒａｙ」の「ｏｂｊＮｕｍ」番目のオブジェクトについての情報を意味するＩＤやインスタンスなど「ｏｂｊ」に代入する。また、ステップＳ２２０８では、「ｏｂｊ」において編集可能となっている編集内容の一覧を取得し「ｅｄＡｒｒａｙ」に代入し、「ｅｄＡｒｒａｙ」に含まれる編集内容の数を「ｍａｘＥｄＮｕｍ」に代入する。
【手続補正９】
【補正対象書類名】図面
【補正対象項目名】図２
【補正方法】変更
【補正の内容】
【図２】
2008146259.tif 000001
【手続補正１０】
【補正対象書類名】図面
【補正対象項目名】図６
【補正方法】変更
【補正の内容】
【図６】
2008146259.tif 000002
【手続補正１１】
【補正対象書類名】図面
【補正対象項目名】図７
【補正方法】変更
【補正の内容】
【図７】
2008146259.tif 000003
【手続補正１２】
【補正対象書類名】図面
【補正対象項目名】図８
【補正方法】変更
【補正の内容】
【図８】
2008146259.tif 000004
【手続補正１３】
【補正対象書類名】図面
【補正対象項目名】図９
【補正方法】変更
【補正の内容】
【図９】
2008146259.tif 000005
【手続補正１４】
【補正対象書類名】図面
【補正対象項目名】図１０
【補正方法】変更
【補正の内容】
【図１０】
2008146259.tif 000006
【手続補正１５】
【補正対象書類名】図面
【補正対象項目名】図１１
【補正方法】変更
【補正の内容】
【図１１】
2008146259.tif 000007
【手続補正１６】
【補正対象書類名】図面
【補正対象項目名】図１２
【補正方法】変更
【補正の内容】
【図１２】
2008146259.tif 000008
【手続補正１７】
【補正対象書類名】図面
【補正対象項目名】図１３
【補正方法】変更
【補正の内容】
【図１３】
2008146259.tif 000009
【手続補正１８】
【補正対象書類名】図面
【補正対象項目名】図１４
【補正方法】変更
【補正の内容】
【図１４】
2008146259.tif 000010
【手続補正１９】
【補正対象書類名】図面
【補正対象項目名】図１５
【補正方法】変更
【補正の内容】
【図１５】
2008146259.tif 000011
【手続補正２０】
【補正対象書類名】図面
【補正対象項目名】図１６
【補正方法】変更
【補正の内容】
【図１６】
2008146259.tif 000012
【手続補正２１】
【補正対象書類名】図面
【補正対象項目名】図１７
【補正方法】変更
【補正の内容】
【図１７】
2008146259.tif 000013
【手続補正２２】
【補正対象書類名】図面
【補正対象項目名】図１８
【補正方法】変更
【補正の内容】
【図１８】
2008146259.tif 000014
【手続補正２３】
【補正対象書類名】図面
【補正対象項目名】図１９
【補正方法】変更
【補正の内容】
【図１９】
2008146259.tif 000015
【手続補正２４】
【補正対象書類名】図面
【補正対象項目名】図２０
【補正方法】変更
【補正の内容】
【図２０】
2008146259.tif 000016